(57)【特許請求の範囲】
【請求項１】
飲料水を収納する庫本体の開口部を開放可能に閉鎖するドアを構成するドアパネルの前面に、抽出コックと、同抽出コックの垂直下方の部位に位置するドレンパンを備え、前記抽出コックを通して前記飲料水を外部に抽出するとともに、前記抽出コックから漏洩する飲料水を前記ドレンパンにて受承する飲料水抽出装置において、前記ドレンパンは、前記ドアパネルの裏面に取付けた補強板に設けられて同ドアパネルを貫通して前面側に延びる掛止部材に掛止されて離脱可能に支持されていることを特徴とする飲料水抽出装置。
【請求項２】
請求項１に記載の飲料水抽出装置において、前記ドアは、アウタパネルと、同アウタパネルの裏面側に取付けられて同アウタパネルと一体に空間部を形成するインナパネルと、これら両パネルにて形成された空間部に充填された発泡樹脂製の断熱材からなり、前記ドレンパンを支持する補強板は、前記アウタパネルの裏面に取付けられていることを特徴とする飲料水抽出装置。
【請求項３】
請求項２に記載の飲料水抽出装置において、前記補強板は、前記両パネルが形成する前記空間部へ注入される発泡樹脂の流通路を備えていることを特徴とする飲料水抽出装置。
【請求項４】
請求項２または３に記載の飲料水抽出装置において、前記ドアを構成するインナパネルは、前記両パネルが形成する前記空間部側へ突出する突部を備えていることを特徴とする飲料水抽出装置。
【請求項５】
請求項２または３に記載の飲料水抽出装置において、前記ドアを構成するインナパネルは、前記両パネルが形成する前記空間部側へ突出する突部を備え、同突部は前記補強板における注入される発泡樹脂の後流側に位置していることを特徴とする飲料水抽出装置。
【発明の詳細な説明】
【０００１】
【発明の属する技術分野】
本発明は、ビールディスペンサー等、庫本体に収納されている各種の飲料水を抽出するための飲料水抽出装置に関する。
【０００２】
【従来の技術】
飲料水抽出装置の一形式として、実開昭６３−１５７００号公報に示されているように、飲料水を収納する庫本体の開口部を開放可能に閉鎖するドアに抽出コックを備え、同抽出コックを通して飲料水を抽出する飲料水抽出装置がある。
【０００３】
当該飲料水抽出装置は、例えばビールディスペンサーに構成されていて、抽出コックを開放することにより、庫本体に収納したビール樽内のビールを抽出コックを通して庫外へ抽出するように構成されている。
【０００４】
当該形式の飲料水抽出装置においては、飲料水の抽出中および抽出直後においては勿論のこと抽出停止時においても、飲料水が抽出コックからわずかに漏洩することがあり得る。このため、抽出コックからわずかに漏洩する飲料水を受けるためのドレンパンが必要であり、飲料水抽出装置の設置場所における抽出コックの下方にドレンパンを単に載置することがなされている。
【０００５】
このため、抽出コックからの飲料水のわずかに漏洩に対処するには、飲料水抽出装置の設置場所にドレンパンの置き場所を確保する必要があり、また、ドレンパンを長期間放置する場合には、設定された位置から移動されてドレンパンとして機能し得ないことがあり得る。さらに、かかるドレンパンはドアの開放には追従し得ず、このため、ドアを開放する場合にはドレンパンとして機能し得なくなる。
【０００６】
かかる問題に対処するには、ドレンパンを、ドアにおける飲料水の抽出コックの垂直下方の部位に配設すればよく、ドレンパンをドアにおける飲料水の抽出口の垂直下方の部位に配設された飲料水抽出装置が特開平８−２２６７３５号公報にて提案されている。
【０００７】
【発明が解決しようとする課題】
ところで、上記した公報にて提案されている飲料水抽出装置においては、ドレンパンをドアの一部にて受承するように構成されているもので、ドアにおけるドレンパンの配設部位を複雑な構造に構成しなけばならないという、ドアの製造上の大きな問題を備えている。従って、本発明の目的は、かかる問題に対処することにあり、ドレンパンを通常の平板状のドアに合理的に配設することにある。
【０００８】
【課題を解決するための手段】
本発明は飲料水抽出装置に関し、特に、飲料水を収納する庫本体の開口部を開放可能に閉鎖するドアを構成するドアパネルの前面に、抽出コックと、同抽出コックの垂直下方の部位に位置するドレンパンを備え、前記抽出コックを通して前記飲料水を外部に抽出するとともに、前記抽出コックから漏洩する飲料水を前記ドレンパンにて受承する形式の飲料水抽出装置を適用対象とするものであり、本発明においては、前記ドレンパンを、前記ドアパネルの裏面に取付けた補強板に設けられて同ドアパネルを貫通して前面側に延びる掛止部材に掛止して離脱可能に支持したことを特徴とするものである。
【０００９】
しかして、本発明に係る飲料水抽出装置においては、前記ドアを、アウタパネルと、同アウタパネルの裏面側に取付けられて同アウタパネルと一体に空間部を形成するインナパネルと、これら両パネルにて形成された空間部に充填された発泡樹脂製の断熱材にて形成して、前記ドレンパンを支持する補強板を、前記アウタパネルの裏面に取付けるように構成することができる。
【００１０】
この場合、前記補強板を前記両パネルが形成する空間部へ注入される発泡樹脂の流通路を備えた構成とすること、前記ドアを形成するインナパネルを前記両パネルが形成する前記空間部側へ突出する突部を備えた構成とすること、同突部を前記補強板における注入される発泡樹脂の後流側に位置させる構成とすることが好ましい。
【００１１】
【発明の作用・効果】
本発明に係る飲料水抽出装置においては、ドアにおける抽出コックの垂直下方の部位にドレンパンを配設しているため、飲料水抽出装置の設置場所にドレンパンを設置する場所を確保する必要がなく、また、ドレンパンはドアの開閉に追従するためドアの開閉時にもドレンパンとして機能し、抽出コックから漏洩する飲料水による設置場所の周囲の汚損を防止することができる。
【００１２】
しかして、本発明に係る飲料水抽出装置においては、特に、ドレンパンを、ドアを構成するドアパネルの裏面に取付けた補強板にて支持するように構成しているため、ドレンパンの設置によるドアパネルへの局部的な荷重を分散させることができる。このため、ドアにおけるドレンパンの配設部位を特殊な構造に構成する必要がなく、通常の平板状のドアに合理的に配設することができる。
【００１３】
この場合、補強板には、ドアのドアパネルを貫通する掛止部材を固定して、ドレンパンを同掛止部材に掛止して離脱可能に支持するようにすることが好ましく、これにより、ドレンパンのドアに対する脱着を容易にして、ドレンパン、および、ドアにおけるドレンパンの配設部位の清掃を確実に行うことができる。
【００１４】
また、ドアが、アウタパネルと、アウタパネルの裏面側に取付けられてアウタパネルと一体に空間部を形成するインナパネルと、これら両パネルにて形成された空間部に充填された発泡樹脂製の断熱材にて構成されているときには、ドレンパンを支持する補強板を、アウタパネルの裏面に取付けるようにすることが好ましい。
【００１５】
この場合、補強板を両パネルが形成する空間部へ注入される発泡樹脂の流通路を備えた構成とすることにより、発泡樹脂の空間部全体への分散に対する障害を最小限に抑えることができる。
【００１６】
また、この場合、ドアを形成するインナパネルを両パネルが形成する前記空間部側へ突出する突部を備えた構成とすることにより、発泡樹脂の空間部全体への分散を向上させることができ、突部を、補強板における注入される発泡樹脂の後流側に位置させることが好ましい。
【００１７】
【発明の実施の形態】
以下、本発明を図面に基づいて説明すると、図１および図２には、本発明に係る飲料水抽出装置をビールディスペンサーに構成した例が示されている。当該ビールディスペンサーは、収納庫１０、ビール供給機構２０、および冷却機構３０を備えている。
【００１８】
収納庫１０は、庫本体１１とドア１２とからなるもので、庫本体１１は前面側に開口する開口部１１ａを備えているとともに、ビール供給機構２０および冷却機構３０の一部を収納する空間部１１ｂを備えている。ドア１２は、庫本体１１の開口部１１ａにおける一側縁部に回動可能に取付けられていて、庫本体１１の開口部１１ａを開放可能に閉鎖している。
【００１９】
ビール供給機構２０は、庫本体１１の空間部１１ｂの底部に設置されたビール樽２１、ビール樽２１に接続されたガス供給ホース２２、ビール樽２１に接続されたビール供給ホース２３、および、ドア１２の正面側に取付けられて外部に位置する抽出コック２４を備えている。かかるビール供給機構２０においては、外部からビール樽２１の内部へガス供給ホース２２を通して炭酸ガス圧が付与されていて、抽出コック２４を開放することにより、付与されている炭酸ガス圧により、ビール樽２１内のビールがビール供給ホース２３を通して抽出コック２４から抽出される。
【００２０】
なお、ビール供給ホース２３は、抽出コック２４から抽出されるビールの過剰な泡立ちを抑制するために十分に長く形成されていて、その中間部にて、ドア１２の裏面上部に設けたフック１７に掛止めされている。
【００２１】
冷却機構３０は、コンプレッサ３１、凝縮器３２、キャピラリ３３、蒸発器３４、ドライヤ３５、第１、第２ファン３６ａ，３６ｂ等を備えている。コンプレッサ３１、凝縮器３２、ドライヤ３５、および第１ファン３６ａは庫本体１１の頂部に配設されていて、庫本体１１の頂部に配設したキャビネット３７にて覆蓋されて収納されている。また、蒸発器３４および第２ファン３６ｂは、庫本体１１の空間部１１ｂにおけるビール樽２１の後部および上方部に配置されている。コンプレッサ３１は、凝縮器３２、ドライヤ３５を介してキャピラリ３３に連結されており、また、蒸発器３４は庫本体１１の頂部を貫通して空間部１１ｂ内に至るキャピラリ３３に連結され、かつ、コンプレッサ３１に連結されている。
【００２２】
かかる冷却機構３０においては、コンプレッサ３１にて圧縮された冷媒は、凝縮器３２にて凝縮されてドライヤ３５、およびキャピラリ３３を経て蒸発器３４に供給され、蒸発器３４にて蒸発して収容庫１０内を冷却した後にコンプレッサ３１に還流する。この間、第１、第２ファン３６ａ，３６ｂが駆動し、第１ファン３６ａはキャビネット３７の前面から空気を吸引して凝縮器３２を冷却し、かつ、第２ファン３６ｂは収容庫１０内の冷却された空気を循環させる。
【００２３】
しかして、当該ビールディスペンサーにおいては、ドア１２の前面にドレンパン１３が配設されている。ドレンパン１３は、ドア１２における抽出コック２４の取付部位の下方にて抽出コック２４の垂直下方に位置していて、抽出コック２４から漏洩するビールを受承すべく機能する。
【００２４】
ドア１２は、図１〜図６に示すように、アウタパネル１２ａと、アウタパネルの１２ａの裏面側に取付けられてアウタパネル１２ａと一体に空間部ｒを形成するインナパネル１２ｂと、これら両パネル１２ａ，１２ｂにて形成された空間部ｒに充填された発泡樹脂製の断熱材１２ｃからなり、アウタパネル１２ａの裏面に、図３および図４に示すように、ドレンパン１３を支持するための補強板１４がリベット１５ａ，１５ｂにて固定されている。また、補強板１４には、アウタパネル１２ａを通して左右一対の取付用ネジ１６ａ，１６ｂが螺着されている。各取付用ネジ１６ａ，１６ｂは、アウタパネル１２ａの前面にて前方へ所定長さ突出していて、ドレンパン１３を図４に示すように掛止めして支持するようになっている。
【００２５】
すなわち、ドレンパン１３は、図３および図４に示すように、その後壁部１３ａに左右一対の取付用穴１３ｂ，１３ｃが設けられていて、アウタパネル１２ａの前面に突出している各取付用ネジ１６ａ，１６ｂに各取付用穴１３ｂ，１３ｃにて掛止めして、補強板１４に離脱可能に支持されている。
【００２６】
補強板１４は、図３〜図６に示すように、横長の長方形の平板状本体１４ａと、平板状本体１４ａの上縁から後方へ突出する左右一対の上側突出片１４ｂと、平板状本体１４ａの下縁から後方へ突出する左右一対の下側突出片１４ｃとからなり、各上側突出片１４ｂ間、および各下側突出片１４ｃ間は所定の隙間１４ｄに形成されている。図５は、アウタパネル１２ａを裏側からみた平面図であり、補強板１４はアウタパネル１２ａの裏面に取付けられた状態では、各隙間１４ｄがアウタパネル１２ａに設けた発泡樹脂の注入孔１２ｄに対向している。
【００２７】
一方、ドア１２を構成するインナパネル１２ｂには、図５および図６に示すように、その裏面側へ突出する円錐台形状に突部１２ｅが形成されている。突部１２ｅは、ドア１２の空間部に突出していて、補強板１４を基準にして注入孔１２ｄとは反対側に位置している。すなわち、ドア１２の空間部ｒにて、補強板１４の後流側に位置している。
【００２８】
かかる構成のビールディスペンサーにおいては、ドア１２における抽出コック２４の垂直下方の部位にドレンパン１３を配設しているため、ビールディスペンサーの設置場所にドレンパン１３を設置する場所を確保する必要がなく、また、ドレンパン１３はドア１２の開閉に追従するためドア１２の開閉時にもドレンパン１３として機能し、抽出コック２４から漏洩するビールによる設置場所の周囲の汚損を防止することができる。
【００２９】
また、当該ビールディスペンサーにおいては、ドレンパン１３を、ドア１２を構成するアウタパネル１２ａの裏面側に固定した補強板１４に取付用ネジ１６ａ，１６ｂを介して支持しているため、アウタパネル１２ａに対するドレンパン１３の局部的な荷重を分散させることができる。このため、ドア１２におけるドレンパン１３の配設部位を特殊な構造に構成する必要がなく、通常の平板状のドア１２に合理的に配設することができる。
【００３０】
また、ドレンパン１３は、補強部材１４に固定した取付用ネジ１６ａ，１６ｂに掛止めされてドア１２に対して離脱可能に支持されているため、ドレンパン１３のドア１２に対する脱着を容易であって、ドレンパン１３、および、ドア１２におけるドレンパン１３の配設部位の清掃を確実に行うことができる。
【００３１】
また、補強板１４のかかる取付状態においては、補強板１４の隙間１４ｄが両パネル１２ａ，１２ｂが形成する空間部ｒへ注入される発泡樹脂の流通路を形成するため、各突出片１４ｂ，１４ｃと協同して発泡樹脂を空間部ｒ全体への分散を良好にし、補強板１４の配設に起因する発泡樹脂の空間部ｒ全体への分散障害を最小限に抑えることができる。
【００３２】
この場合、ドア１２を形成するインナパネル１２ｂに両パネル１２ａ，１２ｂが形成する空間部ｒ側へ突出する突部１２ｅを形成しているため、突部１２ｅにより発泡樹脂の空間部ｒ全体への分散を向上させることができる。特に、突部１２ｅは、補強板１４における注入される発泡樹脂の後流側に位置しているため、ドア１２の空間部ｒの各隅部への分散を向上させることができる。
【００３３】
上記した補強板１４においては、平板状本体１４ａの上下両突出片１４ｂ，１４ｃに換えて、平板状本体１４ａの左右側縁に沿った突出片を設けて、上下両縁を完全に開放した構成に変更することができる。かかる構成の補強板１４によれば、上記した隙間１４ｄに相当する部位を大きく形成することができる。
【００３４】
なお、上記した実施形態は、本発明に係る飲料水抽出装置をビールディスペンサーに適用した例であるが、本発明に係る飲料水抽出装置はビールディスペンサー以外の各種の冷やされた飲料水、暖められた飲料水の抽出装置に好適に実施することができる。
【図面の簡単な説明】
【図１】本発明に係る飲料水抽出装置の一例であるビールディスペンサーの正面図である。
【図２】同ビールディスペンサーの一部縦断側面図である。
【図３】同ビールディスペンサーのドアを構成するアウタパネルの前面側からみた斜視図である。
【図４】同ドアにおけるドレンパンの取付部位の縦断側面図である。
【図５】同ドアを構成するアウタパネルの裏面側からみた平面図である。
【図６】同ドアにおける図５の矢印６−６線方向にみた縦断側面図である。
【符号の説明】
１０…収納庫、１１…庫本体、１１ａ…開口部、１２…ドア、１２ａ…アウタパネル、１２ｂ…インナパネル、１２ｃ…断熱材、１２ｄ…注入孔、１２ｅ…突部、１３…ドレンパン、１３ａ…後壁部、１３ｂ，１３ｃ…取付用穴、１４…補強板、１４ａ…平板状本体、１４ｂ…上側突出片、１４ｃ…下側突出片、１４ｄ…隙間、１５ａ，１５ｂ…リベット、１６ａ，１６ｂ…取付用ネジ、１７…フック、２０…ビール供給機構、２１…ビール樽、２２…ガス供給ホース、２３…ビール供給ホース、２４…抽出コック、３０…冷却機構、３１…コンプレッサ、３２…凝縮器、３３…キャピラリ、３４…蒸発器、３５…ドライヤ、３６ａ，３６ｂ…ファン、３７…キャビネット、ｒ…空間部。
【図１】
0003542721.tif 000002
【図２】
0003542721.tif 000003
【図３】
0003542721.tif 000004
【図４】
0003542721.tif 000005
【図５】
0003542721.tif 000006
【図６】
0003542721.tif 000007